(57)【要約】      （修正有）【課題】係合部材を保護し、係合部材が破損されることを防止する電気コネクタを提供する。【解決手段】ＦＰＣを回路基板に電気接続する電気コネクタは、絶縁本体と、複数の導電端子と、絶縁本体に取り付けられる係合部材と、係合部材をシールドし、側部を含む一対の耳部と、を備える。絶縁本体は、前壁と、前壁を貫通する収納穴と、両側から外側に向かって突出する一対の第２凸状部片と、を有する。導電端子は、絶縁本体の収納穴に収納され、ＦＰＣに接触する接触部を含む。係合部材は、基部と、基部から延在し、収納穴に移動可能な舌板と、基部の両側から延在し、第２凸状部片と係合する一対の係合柱と、を備える。各係合柱には、第２凸状部片と係合する係合鉤が設けられる。【選択図】図６
0003122004.tif 000002
【実用新案登録請求の範囲】
【請求項１】
ＦＰＣを回路基板に電気接続する電気コネクタであって、
前壁と、前壁を貫通する収納穴と、両側に形成される第１係合槽と、両側から外側に向かって突出する第２凸状部片と、を含む絶縁本体と、
絶縁本体の収納穴に収納され、収納穴に挿入されてＦＰＣに接触する接触部を含む複数の導電端子と、
絶縁本体に取り付けられ、側部を含む一対の耳部と、
基部と、基部から延在し、前記収納穴に移動可能な舌板と、基部の両側から延在し、第２凸状部片と係合可能な一対の係合柱と、を有する係合部材と、
を備え、前記各係合柱には、第２凸状部片と係合する係合鉤が設けられることを特徴とする電気コネクタ。
【請求項２】
前記各耳部の側部には、絶縁本体の前壁に近付く阻止片が設けられることを特徴とする、請求項１に記載の電気コネクタ。
【請求項３】
前記耳部の側部は、係合柱の外側をシールドし、係合柱の外側面と平行であることを特徴とする、請求項１に記載の電気コネクタ。
【請求項４】
前記第２凸状部片と片状部の間の距離は、係合鉤と係合柱の外側面の間の距離より小さい、或いは係合鉤と係合柱の外側面の間の距離と同じであることを特徴とする、請求項１に記載の電気コネクタ。
【請求項５】
前記係合柱は、基部から直角に折り曲がることを特徴とする、請求項１に記載の電気コネクタ。
【請求項６】
前記絶縁本体には、外側に向かって突出する一対の第１凸状部片が設けられ、該第１凸状部片と片状部の間の距離は、係合鉤と係合柱の外側面の間の距離より小さいことを特徴とする、請求項１に記載の電気コネクタ。
【請求項７】
前記耳部の側部には、回路基板に半田付けされる複数の半田付け部が設けられることを特徴とする、請求項１に記載の電気コネクタ。
【請求項８】
前記耳部の側部は、半田付け部の前端に設けられる阻止片を有することを特徴とする、請求項７に記載の電気コネクタ。
【請求項９】
前記耳部は、主体部と、主体部の外側から下向きに延在する側部と折り曲げ部と、主体部の他側から下向きに延在する挿入部と、を有することを特徴とする、請求項８に記載の電気コネクタ。
【請求項１０】
前記絶縁本体には、挿入部を収納する挿入槽が形成されることを特徴とする、請求項９に記載の電気コネクタ。
【請求項１１】
前記絶縁本体には、挿入槽を貫通する挿入孔が形成され、耳部の挿入部には、挿入孔に挿入される挿入アームが設けられることを特徴とする、請求項１０に記載の電気コネクタ。
【考案の詳細な説明】
【技術分野】
【０００１】
本考案は電気コネクタに関し、ＦＰＣ基板を回路基板に電気接続することに用いる電気コネクタに関する。
【背景技術】
【０００２】
電気コネクタは、回路基板に実装される絶縁本体と、該絶縁本体に取り付けられる係合部材と、複数の導電端子と、を備える。該絶縁本体の両側には、一対の係合槽と、各係合槽に設置される凸状部片と、を含む。絶縁本体には、複数の導電端子を収納する収納穴が形成される。該係合部材には、前記収納穴に収納される舌板が設けられる。ＦＰＣは、該舌板によって、該電気コネクタに固着されて導電端子を電気接続する。該舌板の両側には、絶縁本体と係合する一対の係合柱が設けられる。各係合柱の末端には、内側に向かって突出する係合鉤が設けられる。係合部材が絶縁本体に取り付けられる時、係合部材の係合鉤は、絶縁本体の係合槽に移動して凸状部片に係合される。これにより、係合部材は絶縁本体に固着される（例えば、特許文献１参照）。
【０００３】
ところで、該係合部材が絶縁本体から抜き出される時、係合部材に加えられる力が非常に強いならば、係合部材の係合柱は、両側に向かって傾斜して折り曲がる。これにより、長期に使用したならば、係合部材の係合柱は、容易に破損される。
【０００４】
従って、本考案は前記の欠点を克服するために一種の新たな電気コネクタを設計する。
【特許文献１】米国特許第６，００４，１５６号明細書
【考案の開示】
【考案が解決しようとする課題】
【０００５】
本考案の目的は、こうした従来の問題点を解決した電気コネクタを提供することである。すなわち、従来の技術とは異なり、係合部材を保護し、該係合部材が破損されることを防止する電気コネクタが得られるようにすることである。
【課題を解決するための手段】
【０００６】
本考案はＦＰＣを回路基板に電気接続する電気コネクタに関し、該電気コネクタは、絶縁本体と、複数の導電端子と、絶縁本体に取り付けられる係合部材と、係合部材をシールドし、側部を含む一対の耳部と、を備える。絶縁本体は、前壁と、前壁を貫通する収納穴と、両側から外側に向かって突出する一対の第２凸状部片と、を有する。導電端子は、絶縁本体の収納穴に収納され、ＦＰＣに接触する接触部を含む。係合部材は、基部と、基部から延在し、前記収納穴に移動可能な舌板と、基部の両側から延在し、第２凸状部片と係合する一対の係合柱と、を備える。各係合柱には、第２凸状部片と係合する係合鉤が設けられる。
【考案の効果】
【０００７】
従来の技術に比べると、本考案は以下の長所がある。本考案の電気コネクタの係合部材は、係合部材をシールドする耳部によって、外側に向かって折り曲がることを行えない。これにより、係合鉤を破損することを更に回避できる。
【考案を実施するための最良の形態】
【０００８】
図１及び図３に示すように、電気コネクタ１００は、ＦＰＣ（図示せず）を回路基板２００に電気接続する。該電気コネクタ１００は、絶縁本体１と、絶縁本体１に収納される複数の導電端子２と、絶縁本体１に取り付けられる係合部材３と、一対の耳部４と、を備える。
【０００９】
図２及び図４に示すように、絶縁本体１は、前壁１０と、後壁１５と、回路基板２００に接触する底壁１２と、頂壁１３と、を有する。絶縁本体１の両側には、頂壁１３と底壁１２とを連接する一対の側壁１４が設けられる。絶縁本体１には、これら壁１２，１３、１４、１５から包囲され、前壁１０を貫通する収納穴１１が形成される。
【００１０】
図７に示すように、各導電端子２は、縦方向に向かって延在し、底壁１２に固着される固定部２１と、固定部２１と平行に延在し、頂壁１３に固定される接触部２２と、後壁１５から外へ延在する半田部２３と、を有する。
【００１１】
図２において、前記底壁１２は、前壁１０から前向きに突出する突出部１２０を含む。これにより、底壁１２に固定される固定部２１は、突出部１２０まで延在し、接触部２２に比べて、前向きに突出する。他実施例において、頂壁１３は、前壁１０から後向きに凹む。底壁１２の前端に固定される固定部２１は、頂壁１３に固定される接触部２２に比べて、前向きに突出する。
【００１２】
図２に示すように、各側壁１４の外側には、第１係合槽１４０が形成される。各側壁１４には、挿入槽１４６と、該挿入槽１４６を貫通する挿入孔１４７と、第１係合槽１４０に向かって突出する第１凸状部片１４１と、第２凸状部片１４３と、第１、第２凸状部片１４１，１４３の間に形成される第１凹槽１４２と、を備える。後壁１５の両側には、外向きに突出する一対の阻止部１４５が設けられる。第２凸状部片１４３と阻止部１４５の間には、第２凹槽１４４が形成される。前記第２凸状部片１４３には、それぞれ第１、第２凹槽１４２、１４４に向かって傾斜する一対のガイド面（標号示せず）が設けられる。他実施例において、絶縁本体１には、第１係合槽１４０を含まず、側壁１４から延在する第１、第２凸状部片１４１、１４３と、阻止部１４５とを設置する。阻止部１４５の下部には、第２係合槽１４８が形成される。
【００１３】
図２及び図５に示すように、係合部材３は、上表面３２２と下表面３２１とを含む基部３１と、基部３１の中間部に形成される開口３１１と、開口３１１の下側から後向きに突出する舌板３２と、基部３１の両側から後方に向かって直角に突出する一対の係合柱３３と、を備える。基部３１の下表面３２１は、複数の第３凸状部片３２５と、各対の凸状部片３２５の間に形成されるスロット３２３と、を有する。各係合柱３３の末端には、内側に向かって折り曲げられる係合鉤３３１が設けられる。
【００１４】
前記耳部４は、主体部４１と、主体部４１の外側から下向きに延在する側部４２とＬ字状の折り曲げ部４３と、主体部４１の他側から下向きに延在する挿入部４４と、を有する。側部４２は、片状部４２０と、片状部４２０の前端に設置される阻止片４２２と、片状部４２０から下向きに延在する半田付け部４２１と、を含む。挿入部４４の前端には、前向きに延在する挿入アーム４４１が設置される。
【００１５】
図２、図４、図６及び図７に示すように、該電気コネクタ１００取り付け時、先ず、係合部材３を、導電端子２を含む絶縁本体１に実装する。係合柱３３は、絶縁本体１の上方から下方向に向かって移動し、係合鉤３３１が第１凹槽１４２に嵌め込まれ、第１凸状部片１４１に係合する。舌板３２は、絶縁本体１の収納穴１１に移動可能に収納され、導電端子２の固定部２１と接触部２２の間に位置する。又、舌板３２の下表面３２１が底壁１２に接触する。舌板３２の前端は、絶縁本体１の底壁１２の突出部１２０に接触する。舌板３２のスロット３２３は、導電端子２の固定部２１を収納する。
【００１６】
次に、図３乃至図６に示すように、一対の耳部４は、絶縁本体１の両側に取り付けられ、折り曲げ部４３が、対応する第２係合槽１４８に一部分に収納され、挿入部４４が、挿入槽１４６に挿入され、挿入部４４の挿入アーム４４１が、挿入孔１４７に挿入される。同時に、耳部４は、係合部材３の係合柱３３の上部と外側をシールドする。耳部４の側部４２の阻止片４２２は、絶縁本体１の前壁１０に近付く。且つ、耳部４の側部４２は、係合柱３３の外側面と平行である。これにより、係合部材３は、耳部４によって、上方に向かって移動することを回避するとともに、係合鉤３３１が外側に向かって折り曲がることを回避できる。耳部４は、挿入アーム４４１と、折り曲げ部４３と、半田付け部４２１とによって、回路基板２００に固着される。
【００１７】
ＦＰＣを電気コネクタ１００に電気接続する時、係合部材３の基部３１を、係合部材３の開口３１１から絶縁本体１の収納穴１１に挿入する。収納穴１１に収納される係合部材３が、続いて収納穴１１に挿入することに従って、係合部材３の係合柱３３は、第２凸状部片１４３のガイド面を沿って第２凸状部片１４３を飛び越え、第２凹槽１４４に嵌め込まれ、第２凸状部片１４３に係合される。
【００１８】
係合部材３は、第２凹槽１４４から第１凹槽１４２まで抜き出される時、係合鉤３３３１が第２凸状部片１４３のガイド面に沿って第２凸状部片１４３を飛び越え、第１凹槽１４２に嵌め込まれ、第１凸状部片１４１に係合される。
【００１９】
本考案は、以下の長所がある。耳部４の側部４２は、係合部材３の外側をシールドする。これにより、係合部材３は、耳部４によって、係合鉤３３１を両側に向かって折り曲がって破損することを回避できる。
【００２０】
且つ、耳部４の側部４２の阻止片４２２が絶縁本体１の前壁１０に近付くから、係合部材３は、外側に向かって折り曲がることを更に回避する。
【００２１】
又、第２凸状部片１４３と片状部４２０の間の距離が、係合鉤３３１と係合柱３３の外側面の間の距離より小さい、或いは、係合鉤３３１と係合柱３３の外側面の間の距離と同じである。これにより、係合鉤３３１は、第２凸状部片１４３を越えて移動する過程で、耳部４の側部４２に接触するから、外側に向かって折り曲がることを行えない。これにより、係合鉤３３１を破損することを回避できる。
【００２２】
又、係合柱３３が第２凹槽１４４から第１凹槽１４２に戻る過程で、第１凸状部片１４１と片状部４２０の間の距離が、係合鉤３３１と係合柱３３の外側面の間の距離より小さいから、係合柱３３は、両側に向かって傾斜するにしても、絶縁本体１から外れることを回避できる。
【００２３】
本考案の多数の特徴及び長所など、その構造及び機能を前述の記載により共に説明してきた。また、前記の記載や、本考案に基づきなし得る細部の修正或は変更など、いずれも本考案の請求範囲に属するものである。
【産業上の利用可能性】
【００２４】
本考案は電気コネクタに関し、特に、係合部材を保護する電気コネクタに関する。
【図面の簡単な説明】
【００２５】
【図１】本考案の回路基板に取り付けられる電気コネクタの組合せ視図である。
【図２】本考案の回路基板に取り付けられる電気コネクタの分解視図である。
【図３】本考案の回路基板に取り付けられる電気コネクタの一部分の分解視図である。
【図４】本考案の電気コネクタの一部分の他の分解視図である。
【図５】本考案の電気コネクタの係合部材の斜視図である。
【図６】本考案の電気コネクタの係合部材が第１凹槽に収納される斜視図である。
【図７】本考案の電気コネクタの図６のＶＩＩ−ＶＩＩの方向に沿った断面図である。
【図８】本考案の電気コネクタの係合部材が第２凹槽に収納される斜視図である。
【符号の説明】
【００２６】
１  絶縁本体
２  導電端子
３  係合部材
４  耳部
１０  前壁
１１  収納穴
１２  底壁
１３  頂壁
１４  側壁
１５  後壁
２１  固定部
２２  接触部
２３  半田部
３１  基部
３２  舌板
３３  係合柱
４１  主体部
４２  側部
４３  折り曲げ部
４４  挿入部
１００  電気コネクタ
１２０  突出部
１４０  第１係合槽
１４１  第１凸状部片
１４２  第１凹槽
１４３  第２凸状部片
１４４  第２凹槽
１４５  阻止部
１４６  挿入槽
１４７  挿入孔
１４８  第２係合槽
３１１  開口
３２１  下表面
３２２  上表面
３２３  スロット
３２５  第３凸状部片
３３１  係合塊
４２０  片状体
４２１  半田付け部
４２２  阻止片
４４１  挿入アーム
【図１】
0003122004.tif 000003
【図２】
0003122004.tif 000004
【図３】
0003122004.tif 000005
【図４】
0003122004.tif 000006
【図５】
0003122004.tif 000007
【図６】
0003122004.tif 000008
【図７】
0003122004.tif 000009
【図８】
0003122004.tif 000010